(57)【要約】【課題】光透過率が大きい磁気テープでは、従来の検出方法では磁器テープの両端が検出できなくなるという課題があった。【解決手段】光透過率の小さい磁気テープは光透過率が大きいリーダーテープを接続し、光透過率の大きい磁気テープには光透過率が小さいリーダーテープを接続する。磁気テープを透過する光の検出結果とリールに巻かれた磁気テープの量の検出結果を比較することで磁気テープの種類を判別して、磁気テープ両端の検出方法の検出論理を変更する。【選択図】  図１
2004253037.tif 000002
【特許請求の範囲】
【請求項１】
上下ハーフからなるカセット本体と、前記カセット本体内に回転自在に配置されるリールと、前記リールに一端が固定されたリーダーテープの他端と接続される磁気テープを備えたテープカセットであり、前記リーダーテープの光透過率は前記磁気テープの光透過率よりも小さいことを特徴とするテープカセット。
【請求項２】
上下ハーフからなるカセット本体と、前記カセット本体内に回転自在に配置される一対のリールと、前記一対のリールに一端が固定されたリーダーテープの他端と接続される磁気テープを備えたテープカセットと前記磁気テープに記録再生を行うテープドライブであり、
第１の磁気テープがカセット本体内に配置された第１のテープカセットと、
第１の磁気テープよりも光透過率の大きい第２の磁気テープがカセット本体内に配置された第２のテープカセットを有し、
第１の磁気テープには第１の磁気テープよりも光透過率が大きい第１のリーダーテープが接続され、第２の磁気テープには第２の磁気テープよりも光透過率が小さい第２のリーダーテープが接続されており、
前記テープドライブには前記磁気テープを透過する光を検出する受光部と、
前記一対のリールに巻かれた前記磁気テープの量を比較する手段を備え、
前記磁気テープを透過した光を前記受光部で検出するステップ１と、
前記一対のリールに巻かれた前記磁気テープの量を検出するステップ２を有し、前記ステップ１の受光検出結果と前記ステップ２の磁気テープ量の検出結果を比較することで第１および第２の磁気テープを判別することを特徴とする磁気テープ検出方法。
【発明の詳細な説明】
【０００１】
【発明の属する技術分野】
本発明はＶＴＲやテープドライブ等の磁気記録再生装置に使用するテープカセットと磁気テープ検出方法に関するものである。
【０００２】
【従来の技術】
近年、インターネットやパソコンの普及によりネットワークを流通するデータ量は爆発的に増加しており、パソコンやサーバーのデータをバックアップする需要が増加する傾向にある。このような背景のもと、データのバックアップに利用されるテープドライブにおいては記録密度を向上して大容量化を実現していくことが不可欠となっている。
【０００３】
以下に従来のテープドライブで使用されるテープカセットと磁気テープ検出方法について説明する。
【０００４】
図５は従来のテープカセットのリールの斜視図、図６は従来のテープカセットとテープドライブのテープ走行系の図である。図５、図６において２０はテープカセット、２１はインダクティブヘッド用の磁気テープである。磁気テープ２１の両端はリーダーテープ２２を介して一対のリールであるＳリール３ａ、Ｔリール３ｂに接続されている。４は回転ドラムであり、外周には記録再生を行うインダクティブ型の磁気ヘッド（図示せず）が搭載されている。５ａ〜５ｆはポストである。６は発光部、７ａ、７ｂは発光部６の光を検出する受光部である。
【０００５】
以上のように構成された従来のテープカセットと磁気テープの検出方法について以下その動作について説明する。
【０００６】
磁気テープ２１はテープカセット２０の内部からポスト５ａ〜５ｆにより引き出されて回転ドラム４の外周に所定角度巻きつけられる。回転ドラム４が回転するとともに磁気テープ２１を所定の速度で走行し、磁気テープ２１上に情報の記録再生が行われる。
【０００７】
磁気テープ２１は光透過率が小さく、ほとんど光を透過しないが、リーダーテープ２２は透明な材料を用いることで光を透過するようになっている。発光部６から発した光は磁気テープ２１では遮断され、リーダーテープ２２では透過するため、受光部７ａ、７ｂで光を検出することでリーダーテープ２２を検出する。図６においてＳリール３ａ側では光は磁気テープ２１に遮断され受光部７ａでは光を検出しないのに対して、Ｔリール３ｂ側ではリーダーテープ２２を光が透過して受光部７ｂで光を検出するため、テープカセットはテープトップであることが検出される。逆に受光部７ａが光を検出し、受光部７ｂが光を検出しない場合はテープエンドであると検出される。また受光部７ａ、７ｂがともに光を検出した場合は磁気テープ２１が無いと判断してテープエラー（テープ切れ等テープに重大問題がある）が検出される。
【０００８】
【特許文献１】
特開平６−６０４７７号公報［０００１］〜［００１７］
【０００９】
【発明が解決しようとする課題】
テープドライブの記録密度を向上する手段として再生ヘッドに従来のインダクティブヘッドよりも感度の高いＭＲヘッドが採用される。しかしながら従来のインダクティブヘッド用の磁気テープでは磁性層が厚すぎてＭＲ素子が飽和してしまい、ＭＲヘッドの性能を充分に引き出すことができない。従ってＭＲヘッド用の磁気テープはインダクティブヘッド用の磁気テープよりもさらに磁性層の厚みを薄くする必要があり、例えばインダクティブヘッド用の磁性層の厚みは約２００ｎｍに対してＭＲヘッド用の磁性層の厚みは１００ｎｍ以下となる。磁性層の厚みが薄くなると磁気テープの光透過率は小さくなるため、ＭＲ用の磁気テープは光を透過するようになる。
【００１０】
従来のテープカセットと磁気テープ検出方法においてはＭＲヘッド用の磁気テープを使用した場合、磁気テープが光を透過してしまうためにリーダーテープとの違いを検出することができなくなるという課題を有していた。また、インダクティブヘッドのテープドライブの上位フォーマットとして大容量に適したＭＲヘッドを採用しようとしたとき、従来のインダクティブヘッド用の磁気テープとの下位互換性の確保も重要となる。この場合、全く異なる光透過率の磁気テープを同じテープドライブで使用しなくてはならない。しかしながら従来のテープカセットと磁気テープの検出方法では光透過率が全く異なる磁気テープを判別してテープトップとテープエンドを検出することができないという課題を有していた。
【００１１】
本発明は上記のような問題点を鑑み、光透過率が大きい磁気テープであっても確実にテープトップとテープエンドを検出することを目的とする。また本発明は、異なる光透過率の磁気テープを同一のテープドライブで使用する場合に、容易に磁気テープの光透過率を判別して磁気テープとリーダーテープの違いを確実に検出することを目的とする。
【００１２】
【課題を解決するための手段】
この課題を解決するために本発明のテープカセットは、上下ハーフからなるカセット本体と、カセット本体内に回転自在に配置されるリールと、リールに一端が固定されたリーダーテープの他端と接続される磁気テープを備え、リーダーテープの光透過率は磁気テープの光透過率よりも小さくなるような構成を有する。
【００１３】
この構成によって、光透過率が小さく光を透過する磁気テープであってもリーダーテープでは光の遮断することで透過光の有無を検出することで磁気テープとリーダーテープの判別を可能とし、磁気テープのテープトップとテープエンドを検出することが可能となる。
【００１４】
また課題を解決するために本発明のテープカセットと磁気テープ検出方法は、上下ハーフからなるカセット本体と、前記カセット本体内に回転自在に配置される一対のリールと、前記リールに一端が固定されたリーダーテープの他端と接続される磁気テープを備えたテープカセットと前記磁気テープに記録再生を行うテープドライブであり、第１の磁気テープがカセット本体内に配置された第１のテープカセットと、第１の磁気テープよりも光透過率の大きい第２の磁気テープがカセット本体内に配置された第２のテープカセットを有し、第１の磁気テープには第１の磁気テープよりも光透過率が大きい第１のリーダーテープが接続され、第２の磁気テープには第２の磁気テープよりも光透過率が小さい第２のリーダーテープが接続されており、前記テープドライブには前記磁気テープを透過する光を検出する受光部と、前記一対のリールに巻かれた前記磁気テープの量を比較する手段を備え、前記磁気テープを透過した光を前記受光部で検出するステップ１と、前記一対のリールに巻かれた前記磁気テープの量を検出するステップ２を有し、前記ステップ１の受光検出結果と前記ステップ２の磁気テープ量の検出結果を比較することで第１および第２の磁気テープを判別する構成を有する
この構成によって、光透過率が異なる磁気テープを容易に判別し、磁気テープとリーダーテープの違いを確実に検出することができる。
【００１５】
【発明の実施の形態】
以下、本発明の実施の形態について、図面を参照しながら説明する。図１は本発明の実施例におけるリールの斜視図である。図２は本発明の実施例におけるテープカセットとテープドライブのテープ走行系の図である。
【００１６】
図１、図２において１０はテープカセット、１はＭＲヘッド用の磁気テープである。磁気テープ１の両端はリーダーテープ２を介して一対のリールであるＳリール３ａ、Ｔリール３ｂに接続されている。リーダーテープ２は光透過率が小さくほとんど光を透過しない。
【００１７】
４は回転ドラムであり、外周には記録再生を行う磁気ヘッド（図示せず）が搭載されている。５ａ〜５ｆはポストである。６は発光部、７ａ、７ｂは発光部６の光を検出する受光部である。リールを駆動するリールモーター（図示せず）にはリールモーターの回転方向を検出する回路（図示せず）が取り付けられている。
【００１８】
以上のように構成された本発明の実施例のテープカセットと磁気テープ検出方法について説明する。
【００１９】
図３は磁気テープとリーダーテープの透過光量の関係を示したものである。図３においてＶａ１はインダクティブヘッド用の磁気テープ２１の透過光量、Ｖａ２はインダクティブヘッド用の磁気テープ２１に接続されたリーダーテープ２２の透過光量である。Ｖｂ１はＭＲヘッド用の磁気テープ１の透過光量、Ｖｂ２はＭＲヘッド用の磁気テープ１に接続されたリーダーテープ２の透過光量である。
【００２０】
図３に示すように従来の磁気テープ２１ではリーダーテープ２２との透過光量のレベル差（図中Ａ）から、受光部で光の有無を検出する。ＭＲヘッド用の磁気テープ１では透過光量が大きく（Ｖｂ１）、従来のリーダーテープではレベル差（図中Ｃ）が小さく、リーダーテープの検出が困難であるため、透過光量がほとんどないリーダーテープ２を使用して、光の検出に充分なレベル差（図中Ｂ）を確保している。
【００２１】
図２において磁気テープ１がテープトップにある状態を示している。このときＴリール３ｂ側にはリーダーテープ２が発光部６の光を遮断するため受光部７ｂでは光を検出しない。一方のＳリール３ａ側では磁気テープ１が光を透過して受光部７ａで光を検出する。このように受光部７ａが光を検出して受光部７ｂが光を検出しないときはテープトップと判断し、逆に受光部７ｂが光を検出して７ａが光を検出しないときはテープエンドと判断する。つまり、従来のインダクティブヘッド用の磁気テープの場合とは論理が逆になる。
【００２２】
このように光透過率の大きい磁気テープ１を使用する場合は光透過率の小さいリーダーテープを使用することで確実にテープトップとテープエンドを検出することが可能となる。
【００２３】
次に光透過率の異なる２種類の磁気テープを使用する場合について説明する。図４は異なる２種類の光透過率の磁気テープをテープドライブで検出する処理手順を示す。
【００２４】
まずテープドライブにテープカセットを挿入してテープカセットがリール台にセットされた後にステップＳＰ１からステップＳＰ２に移行し、Ｓリール３ａ側の受光検出処理を開始する。ここでＳリール３ａ側の受光部７ａが発光部６からの光の有無を検出してその結果をステップＳＰ３に送る。受光部７ａで光が検出された場合にはステップＳＰ４に移行し、光が検出されない場合はステップＳＰ１３に移行する。
【００２５】
ステップＳＰ４に移行するとＴリール３ｂ側の受光検出処理を開始する。ここでＴリール３ｂ側の受光部７ｂが発光部６の光の有無を検出してその結果をステップＳＰ５に送る。受光部７ｂで光が検出された場合にはステップＳＰ６に移行し、光が検出されない場合にはステップＳＰ１１に移行する。
【００２６】
ステップＳＰ６ではテープ有無の検出動作を開始する。ここではＳリール３ａとＴリール３ｂをそれぞれ巻き取る方向に同じトルクでリールモーターを回転させる。磁気テープが無い場合は二つのリールは巻き取る方向に回転を続けるのに対して、磁気テープが有る場合はリールの回転が停止するか、どちらか一方のリールが逆転する。以上のようにリールの回転方向を検出することで磁気テープの有無を検出する。テープ有無の検出結果をステップＳＰ７に送り、テープがある場合はステップＳＰ９に移行する。ステップＳＰ７においてテープが無いと判定された場合はステップＳＰ８に移行してＳＴＯＰ処理を行いステップＳＰ１０に移行して終了となる。
【００２７】
ステップＳＰ１３ではＴリール３ｂ側の受光検出処理を開始する。ここでＴリール３ｂ側の受光部７ｂが発光部６の光の有無を検出してその結果をステップＳＰ１４に送る。受光部７ｂで光が検出された場合にはステップＳＰ１５に移行し、光が検出されない場合にはステップＳＰ１７に移行する。
【００２８】
ステップＳＰ１５ではテープ巻径判別動作を開始する。ここではＳリール３ａとＴリール３ｂをそれぞれ巻き取る方向に同じトルクでリールモーターを回転させることでリールに巻かれた磁気テープの量を判別する。磁気テープを引っ張る力は磁気テープの巻径に反比例して小さくなるため、同一トルクでリールを回転させると磁気テープの巻径が小さいほうにリールが回転することになる。Ｓリール３ａ側に磁気テープが巻き取られるときはＴリール３ｂ側の巻径が大きく、逆にＴリール３ｂ側に磁気テープが巻き取られるときはＳリール３ａ側の巻径が大きいと判定する。ステップＳＰ１５においてテープ巻径の判別結果をステップＳＰ１６に送り、Ｓリール３ａ側のテープ巻径が大きい場合はステップＳＰ９に移行し、Ｔリール３ｂ側のテープ巻径が大きい場合はステップＳＰ１７に移行する。
【００２９】
ステップＳＰ１１ではテープ巻径判別動作を開始する。ここではステップＳＰ１５と同じの動作を行い、テープ巻径判別の結果をステップＳＰ１２に送る。
【００３０】
ステップＳＰ１２ではＴリール３ｂ側のテープ巻径が大きい場合はステップＳＰ９に移行し、Ｓリール３ａ側のテープ巻径が大きい場合はステップＳＰ１７に移行する。
【００３１】
ステップＳＰ９では磁気テープをＭＲヘッド用磁気テープと検出してステップＳＰ１０に移行し、終了する。
【００３２】
ステップＳＰ１７ではインダクティブヘッド用の磁気テープと検出してステップＳＰ１０に移行して終了する。
【００３３】
以上の一連の処理手順によって磁気テープの種類を簡単に検出することが可能である。一旦磁気テープの光透過率を判別すれば、受光部７ａ、７ｂの検出処理を磁気テープの種類に応じて変更することでその後のテープドライブの動作は従来と同様に行うことができる。インダクティブヘッド用の磁気テープを使用するときは受光部７ａ、７ｂで光が検出された場合はリーダーテープであると判断し、ＭＲヘッド用の磁気テープを使用するときは受光部７ａ、７ｂで光が検出されない場合がリーダーテープであると判断する。
【００３４】
なお、発明の実施例ではテープカセット内に一対のリールが配置された構成で説明したが、リニア記録方式のテープドライブで採用される１リールタイプのテープカセットでも同様の効果があることは言うまでもない。
【００３５】
【発明の効果】
以上のように本発明のテープカセットと磁気テープ検出方法によれば、光透過率の大きい磁気テープであっても確実にテープトップとテープエンドを検出することができる。また光透過率が大きく異なる２種類の磁気テープを同一のテープドライブに使用する場合であっても磁気テープの光透過率を容易に判別して、テープトップとテープエンドの検出を確実に行うことができる。
【図面の簡単な説明】
【図１】本発明の実施例におけるテープカセットのリール斜視図
【図２】本発明の実施例におけるテープカセットとテープドライブの走行系図
【図３】磁気テープとリーダーテープの透過光量の関係を示した図
【図４】本発明の実施例における磁気テープ検出手順を示す図
【図５】従来の実施例におけるテープカセットのリール斜視図
【図６】従来の実施例におけるテープカセットとテープドライブの走行系図
【符号の説明】
１  ＭＲヘッド用の磁気テープ
２、２２  リーダーテープ
３ａ  Ｓリール
３ｂ  Ｔリール
４  回転ドラム
５ａ、５ｂ、５ｃ、５ｄ、５ｅ、５ｆ  ポスト
６  発光部
７ａ、７ｂ  受光部
１０、２０  テープカセット
２１  インダクティブヘッド用磁気テープ
Ｖａ１  インダクティブヘッド用磁気テープ２１の透過光量
Ｖａ２  リーダーテープ２２の透過光量
Ｖｂ１  ＭＲヘッド用の磁気テープ１の透過光量
Ｖｂ２  リーダーテープ２の透過光量
【図１】
2004253037.tif 000003
【図２】
2004253037.tif 000004
【図３】
2004253037.tif 000005
【図４】
2004253037.tif 000006
【図５】
2004253037.tif 000007
【図６】
2004253037.tif 000008